(57)【要約】【課題】薬剤を保持した薬剤保持体の収容量を多くするとともに薬剤の単位時間当たりの薬剤放散量を多くして薬剤による効果をより一層高める。【解決手段】蒸発する薬剤を保持した薬剤保持体１０と、薬剤保持体１０を収容する容器２０とを備え、容器２０に形成された複数の薬剤放散用の開口部３３から薬剤を外部に放散させるように構成された薬剤放散器１において、容器２０は筒状部２１を有し、筒状部２１は中心線が曲がるように屈曲形成されている。【選択図】図１
2014132874.tif 000002
【特許請求の範囲】
【請求項１】
蒸発する薬剤を保持した薬剤保持体と、
上記薬剤保持体を収容する容器とを備え、
上記容器に形成された複数の薬剤放散用の開口部から薬剤を外部に放散させるように構成された薬剤放散器において、
上記容器は上記薬剤保持体を収容する筒状部を有し、該筒状部は該筒状部の中心線が曲がるように屈曲形成されていることを特徴とする薬剤放散器。
【請求項２】
請求項１に記載の薬剤放散器において、
上記筒状部は、環状をなしていることを特徴とする薬剤放散器。
【請求項３】
請求項２に記載の薬剤放散器において、
上記薬剤保持体は、上記筒状部の形状に対応して環状をなしていることを特徴とする薬剤放散器。
【請求項４】
請求項１から３のいずれか１つに記載の薬剤放散器において、
上記容器には、上記薬剤保持体に薬剤を供給するための薬剤供給口が形成されていることを特徴とする薬剤放散器。
【発明の詳細な説明】
【技術分野】
【０００１】
本発明は、例えば虫忌避剤等の薬剤を空気中に放散する薬剤放散器に関するものである。
【背景技術】
【０００２】
従来から、この種の薬剤放散器としては、薬剤を含浸させることによって保持した薬剤保持体と、薬剤保持体を収容する容器とを備えたものが知られている（例えば、特許文献１、２参照）。特許文献１、２の薬剤放散器の容器は板状をなしており、正面側と背面側とにそれぞれ薬剤放散用の開口部が形成されている。また、薬剤保持体は、容器の形状に対応して薄いネット状に形成され、容器の内部で動かないように固定されている。薬剤保持体の薬剤が容器の開口部から外部に放散されて薬剤による虫忌避効果を得ることができるようになっている。
【先行技術文献】
【特許文献】
【０００３】
【特許文献１】特開２０１０−２９１７３号公報
【特許文献２】特開２０１１−１９５０７号公報
【発明の概要】
【発明が解決しようとする課題】
【０００４】
ところで、薬剤放散器の薬剤による効果をより一層高めたいという要求がある。しかしながら、特許文献１、２の薬剤放散器では、容器が薄い板状であることから、内部に収容可能な薬剤保持体は薄いものとせざるを得ず、薬剤保持体の収容量は少ないものとなる。薬剤保持体の収容量が少なければ、薬剤放散器が有するトータルの薬剤の量が少なくなるとともに、薬剤の放散面積が小さくなり、薬剤による効果を高めるのは難しい。
【０００５】
また、特許文献１、２のような板状の容器の場合には、薬剤放散用の開口部は実質的に正面側と背面側にしか形成できず、薬剤を薬剤放散器の周りの広い範囲に放散することは難しい。
【０００６】
本発明は、かかる点に鑑みてなされたものであり、その目的とするところは、薬剤を保持した薬剤保持体の収容量を多くするとともに薬剤の単位時間当たりの薬剤放散量を多くして薬剤による効果をより一層高めることにある。
【課題を解決するための手段】
【０００７】
上記目的を達成するために、本発明では、容器を立体的に形成して内部に多くの薬剤保持体を収容できるようにし、さらに薬剤放散用の開口部の形成範囲を広く確保できるようにした。
【０００８】
第１の発明は、蒸発する薬剤を保持した薬剤保持体と、
上記薬剤保持体を収容する容器とを備え、
上記容器に形成された複数の薬剤放散用の開口部から薬剤を外部に放散させるように構成された薬剤放散器において、
上記容器は上記薬剤保持体を収容する筒状部を有し、該筒状部は該筒状部の中心線が曲がるように屈曲形成されていることを特徴とするものである。
【０００９】
この構成によれば、容器が筒状部を有していて、その中心線が曲がるように屈曲形成されているので、内容積を十分に確保して薬剤保持体の収容量を多くすることが可能になる。よって、容器に収容可能な薬剤の量が多くなる。
【００１０】
また、容器が筒状で、かつ、屈曲する部分を有することから、容器の正面や背面のみならず、側面や上面、底面等にも薬剤放散用の開口部を形成することが可能になる。
【００１１】
第２の発明は、第１の発明において、
上記筒状部は、環状をなしていることを特徴とするものである。
【００１２】
この構成によれば、容器の中心部に貫通する中心孔を有することになるので、その中心孔の内周面にも薬剤放散用の開口部を形成することが可能になる。また、容器の中心孔に、例えばドアノブ等を差し込むことで、薬剤放散器をドアノブに掛けておくことが可能になり、これにより、ドア周辺において薬剤による効果が十分に得られるようになる。
【００１３】
第３の発明は、第２の発明において、
上記薬剤保持体は、上記筒状部の形状に対応して環状をなしていることを特徴とするものである。
【００１４】
この構成によれば、薬剤保持体の収容量が十分に確保される。また、薬剤保持体が容器の全周に亘って存在することになるので、薬剤を容器の全周から放散することが可能になる。
【００１５】
第４の発明は、第１から３のいずれか１つの発明において、
上記容器には、上記薬剤保持体に薬剤を供給するための薬剤供給口が形成されていることを特徴とするものである。
【００１６】
この構成によれば、例えば、薬剤放散器の製造時に、薬剤を保持していない薬剤保持体を容器に収容した状態で、容器の外部から薬剤供給口を介して薬剤を薬剤保持体に供給することが可能になる。
【発明の効果】
【００１７】
第１の発明によれば、薬剤保持体を収容する容器が筒状部を有し、その筒状部を屈曲形成したので、容器を立体的に形成して内部に多くの薬剤保持体を収容できるとともに、薬剤放散用の開口部の形成範囲を広く確保できる。これにより、薬剤による効力を十分に高めることができる。
【００１８】
第２の発明によれば、薬剤放散用の開口部の形成範囲をより一層広くすることができ、また、薬剤放散器を例えばドアノブ等に掛けて使用することができ、利便性を向上させることができる。
【００１９】
第３の発明によれば、薬剤保持体が環状をなしているので、薬剤保持体の収容量を十分に確保できるとともに、薬剤を容器の全周から放散することができる。よって、薬剤による効力をより一層高めることができる。
【００２０】
第４の発明によれば、容器に薬剤供給口を形成したので、容器の外部から薬剤供給口を介して薬剤を薬剤保持体に供給することができ、製造時に薬剤を薬剤保持体に容易に保持させることができる。また、薬剤放散器の使用時には薬剤供給口からも薬剤が放散されるので、薬剤による効力をより一層高めることができる。
【図面の簡単な説明】
【００２１】
【図１】実施形態に係る薬剤放散器の斜視図である。
【図２】薬剤放散器の正面図である。
【図３】薬剤放散器の左側面図である。
【図４】薬剤放散器の平面図である。
【図５】薬剤放散器の背面図である。
【図６】正面側部材を取り外した状態の正面図である。
【図７】図２におけるVII−VII線断面図である。
【図８】薬剤保持体の正面図である。
【図９】薬剤放散器をドアノブに掛けて使用する場合を説明する図である。
【図１０】変形例に係る薬剤放散器の背面図である。
【発明を実施するための形態】
【００２２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２３】
図１は、本発明の実施形態に係る薬剤放散器１の斜視図である。この薬剤放散器１は、図２〜図７にも示すように、蒸発する薬剤を保持した薬剤保持体１０と、薬剤保持体１０を収容する容器２０とを備えており、薬剤保持体１０に保持した薬剤を容器２０の外方へ放散して薬剤による効果を得ることができるように構成されている。
【００２４】
薬剤保持体１０は、液状の薬剤を含浸することによって保持可能な基材を有している。基材は、例えば不織布等で構成することができる。薬剤保持体１０の基材は、図６や図８に示すように、全体として正面視で環状をなしており、山折部分１１と谷折部分１２とが周方向に交互に連続して多数のひだを形成している。これにより、薬剤保持体１０を収容するためのスペースを小さくしながら、基材の量を多くすることが可能になるので、薬剤の保持量を十分に確保できるとともに、薬剤の蒸散面積を広く確保することができる。薬剤保持体１０の形状は、後述する容器２０の筒状部２１の形状に対応している。
【００２５】
薬剤は、常温で徐々に揮発する性質を有する薬剤であれば特に限定されないが、例えば虫忌避剤、殺虫剤、消臭剤、除菌剤、芳香剤等を挙げることができ、これらのうち１種のみであってもよいし、２種以上を組み合わせてもよい。
【００２６】
容器２０は、薬剤保持体１０を収容する筒状部２１と、フックＦ（図１にのみ仮想線で示す）等を取り付けるための取付孔２２とを備えている。尚、フックＦは取り付けなくてもよく、また、取付孔２２に紐や糸を通すことも可能である。
【００２７】
筒状部２１の中心線に直交する方向の断面は、図７に示すように略だ円形である。筒状部２１は、その中心線が曲がるように屈曲形成されている。具体的には、筒状部２１の中心線は円環状をなすように曲がっており、従って、筒状部２１は、中心孔Ａを有する円環状をなしている。筒状部２１の中心孔Ａの直径は、例えば一般的な玄関等に用いられるドア１００（図９に示す）のドアノブ１０１を挿入することが可能な程度に設定されており、具体的には１００ｍｍ以上が好ましい。また、取付孔２２は、容器２０の上部に設けられ、容器２０を正面側から背面側に貫通するように形成されている。
【００２８】
図３や図４に示すように、容器２０は、正面と背面との間の中心部において２つに分割された正面側部材３０と背面側部材４０とを組み合わせて構成されている。図５に示すように、正面側部材３０は、全体として筒状部２１の形状に対応するように円環状に形成され、図７に示すように背面側に開放する凹状断面を有している。正面側部材３０の内周部には、正面側内周接合部３１が円環状に形成されている。図５に示すように、正面側内周接合部３１の上部及び下部には、それぞれ、背面側へ突出する係合爪部３１ａが形成されている。また、正面側部材３０の外周部には、正面側外周接合部３２が円環状に形成されている。正面側外周接合部３２の近傍には、複数の係合孔３２ａが周方向に間隔をあけて形成されている。
【００２９】
正面側部材３０の正面側内周接合部３１と正面側外周接合部３２との間の部位は、正面側へ向けて湾曲しており、全体に亘って多数の正面側開口部３３を有している。これら正面側開口部３３は、薬剤保持体１０の薬剤を外部へ放散させるための薬剤放散用のものである。これら正面側開口部３３は、正面側部材３０の周方向に分散して開口しており、さらに、筒状部２１の外周面及び内周面（中心孔Ａの内周面）に対応する部位にも開口している。正面側部材３０の上部において取付孔２２と正面側内周接合部３１との間には、非開口領域である板状部３４が設けられている、この板状部３４には、例えば製造会社のロゴや商品名等を記載することができる。
【００３０】
また、図７に示すように、正面側部材３０の内面には、薬剤保持体１０を所定位置で支持するための複数の支持部３５が設けられている。支持部３５は、正面側部材３０の内面から背面側部材４０側へ向けて突出する柱状をなしており、この支持部３５の突出方向先端部が薬剤保持体１０に当接するようになっている。
【００３１】
図２に示すように、背面側部材４０も正面側部材３０と同様に全体として筒状部２１の形状に対応するように円環状に形成されており、図７に示すように正面側に開放する凹状断面を有している。背面側部材４０の内周部には、上記正面側内周接合部３１と一致する形状の背面側内周接合部４１が円環状に形成されている。図２に示すように、背面側内周接合部４１の上部及び下部には、それぞれ、上記係合爪部３１ａが引っ掛かって係合状態となる係合凹部４１ａが形成されている。
【００３２】
また、背面側部材４０の外周部には、上記正面側外周接合部３２と一致する背面側外周接合部４２が円環状に形成されている。図５に示すように、背面側外周接合部４２の近傍には、正面側へ突出する複数の係合爪部４２ａが形成されている。これら係合爪部４２ａは、上記正面側部材３０の係合孔３２ａと一致するように配置されており、該係合孔３２ａに引っ掛かって係合するようになっている。
【００３３】
背面側部材４０の背面側内周接合部４１と背面側外周接合部４２との間の部位は、図７に示すように背面側へ向けて湾曲しており、全体に亘って多数の背面側開口部４３を有している。これら背面側開口部４３も薬剤放散用のものであり、正面側開口部３３と同様に背面側部材４０の周方向に分散して開口するとともに、筒状部２１の外周面及び内周面に対応する部位にも開口している。図１や図２に示すように、背面側部材４０の下部において背面側内周接合部４１と背面側外周接合部４２との間には、非開口領域である板状部４４が設けられている、この板状部４４には、例えば本薬剤放散器１の取扱上の注意事項等を記載することができる。
【００３４】
また、図７に示すように、背面側部材４０の内面には、薬剤保持体１０を所定位置で支持するための複数の支持部４５が設けられている。支持部４５は、背面側部材４０の内面から正面側部材３０側へ向けて突出する柱状をなしており、この支持部４５の突出方向先端部が薬剤保持体１０に当接するようになっている。背面側部材４０の支持部４５の長さは、正面側部材３０の支持部３５よりも長く設定されている。従って、薬剤保持体１０は、筒状部２１内部において正面側に偏位している。
【００３５】
図１や図２に示すように、背面側部材４０の背面側内周接合部４１と背面側外周接合部４２との間の部位には、薬剤保持体１０に薬剤を供給するための複数の薬剤供給口４６が形成されている。薬剤供給口４６は、背面側部材４０の周方向に長い長孔形状であり、周方向に互いに間隔をあけて並んでいる。この薬剤供給口４６からも薬剤を放散させることができる。
【００３６】
次に、上記のように構成された薬剤放散器１を製造する場合について説明する。まず、正面側部材３０及び背面側部材４０を準備し、また、薬剤を保持させていない状態の薬剤保持体１０を準備する。
【００３７】
そして、薬剤保持体１０を正面側部材３０または背面側部材４０に、その開放側から収容する。例えば正面側部材３０に収容した場合には、支持部３５の先端部が薬剤保持体１０に当接して支持される。
【００３８】
しかる後、正面側部材３０と背面側部材４０との開放側同士を合わせて一体化する。このとき、正面側部材３０の係合爪部３１ａを背面側部材４０の係合凹部４１ａに係合させるとともに、背面側部材４０の係合爪部４２ａを正面側部材３０の係合孔３２ａに係合させる。これにより、薬剤保持体１０は、正面側部材３０の支持部３５と背面側部材４０の支持部４５とで挟持されて容器２０内部の所定位置で保持されるので、位置ずれすることはない。また、正面側内周接合部３１と背面側内周接合部４１とが全周に亘って接触し、正面側外周接合部３２と背面側外周接合部４２とも全周に亘って接合する。
【００３９】
次いで、薬剤保持体１０に薬剤を含浸させることによって保持させる。すなわち、背面側部材４０の各薬剤供給口４６から薬剤を薬剤保持体１０に供給する。このとき、薬剤供給口４６が容器２０の周方向に長く、かつ、周方向に互いに間隔をあけて複数設けられているので、薬剤保持体１０の全体に薬剤を供給することができ、薬剤の保持量を十分な量にすることができる。
【００４０】
尚、薬剤は、薬剤保持体１０を正面側部材３０や背面側部材４０に組み付ける前に薬剤保持体１０に保持させておいてもよい。この場合、薬剤供給口４６からの薬剤の供給工程は不要である。
【００４１】
上記のようにして得られた薬剤放散器１を使用する場合には、図９に示すようにドアノブ１０１を中心孔Ａに挿入して薬剤放散器１をドアノブ１０１に吊り下げて使用することができる。使用時には、薬剤保持体１０に保持されている薬剤が徐々に揮発し、揮発した薬剤は、容器２０の正面側開口部３３、背面側開口部４３及び薬剤供給口４６から外部へ放散される。
【００４２】
このとき、容器２０が筒状部２１を有していて、その中心線が環状に曲がるように形成されているので、内容積を十分に確保して薬剤保持体１０を多く収容することができ、これにより、容器２０に収容する薬剤の量が多くなっており、さらに、容器２０の正面や背面のみならず、側面や上面、底面等にも薬剤放散用の開口部３３，３４を形成している。よって、多くの薬剤を広い範囲に放散することができる。
【００４３】
また、ドア１００を開閉する都度、薬剤放散器１が動くことになるので、外部の空気が正面側開口部３３及び背面側開口部４３から容器２０の内部に出入りし、このことによっても薬剤の放散量が多くなる。
【００４４】
また、薬剤放散器１をドア１００の外側に吊り下げておくことで、薬剤放散器１をドア１００の飾りとしても利用することができる。この場合、薬剤放散器１の容器２０を、デザイン性の高い色に着色するのが好ましい。また、これとは反対に、薬剤放散器１が目立たないように暗めの色に着色することもできる。
【００４５】
使用時には、図１に示すフックＦを用いて例えばドアノブ１０１等に吊り下げることもできる。この場合、フックＦも薬剤放散器１の構成要素となる。
【００４６】
以上説明したように、この実施形態に係る薬剤放散器１によれば、薬剤保持体１０を収容する容器２０が筒状部２１を有し、その筒状部２１を屈曲形成したので、容器２０を立体的に形成して内部に多くの薬剤保持体１０を収容できるとともに、薬剤放散用の開口部３３，４３の形成範囲を広く確保できる。これにより、薬剤による効力を十分に高めることができる。
【００４７】
また、薬剤放散器１をドアノブ１０１に掛けて使用することができ、利便性を向上させることができる。
【００４８】
また、薬剤保持体１０が環状をなしているので、薬剤保持体１０の収容量を十分に確保できるとともに、薬剤を容器２０の全周から放散することができる。よって、薬剤による効力をより一層高めることができる。
【００４９】
また、容器２０に薬剤供給口４６を形成したので、容器２０の外部から薬剤供給口４６を介して薬剤を薬剤保持体１０に供給することができ、製造時に薬剤を薬剤保持体１０に容易に保持させることができる。また、使用時には薬剤供給口４６からも薬剤が放散されるので、薬剤による効力をより一層高めることができる。
【００５０】
また、上記実施形態では、容器２０の筒状部２１が円環状となるように形成しているが、これに限らず、例えば、多角形の環状や楕円形の環状に形成してもよい。また、図１０に示す変形例のように、環状でなくてもよく、正面視で例えばＣ字状に形成してもよいし、図示しないがコ字状等に形成してもよい。
【００５１】
また、薬剤放散器１は、ドアノブ１０１以外の物に吊り下げて使用することもできる。
【００５２】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５３】
以上説明したように、本発明に係る薬剤放散器は、例えばドアノブに吊り下げて使用することができる。
【符号の説明】
【００５４】
１        薬剤放散器
１０      薬剤保持体
２０      容器
２１      筒状部
３０      正面側部材
３３      正面側開口部
４０      背面側部材
４３      背面側開口部
４６      薬剤供給口
Ａ        中心孔
【図１】
2014132874.tif 000003
【図２】
2014132874.tif 000004
【図３】
2014132874.tif 000005
【図４】
2014132874.tif 000006
【図５】
2014132874.tif 000007
【図６】
2014132874.tif 000008
【図７】
2014132874.tif 000009
【図８】
2014132874.tif 000010
【図９】
2014132874.tif 000011
【図１０】
2014132874.tif 000012